(57)【要約】【課題】洋式便器の便座及び蓋の開閉途中で握り直すことなく開閉動作を行う。【解決手段】便座２及び蓋３の開閉方向と同方向に回転自在な回転握り部６を有する開閉用回転握り式器具１０を洋式便器等の便座２及び又は蓋３に取付け、回転握り部６を把持して便座２及び又は蓋３の開閉を行う。【選択図】　図１
2004033660.tif 000002
【特許請求の範囲】
【請求項１】
洋式便器等の便座（２）及び又は蓋（３）に取付けられ、便座（２）及び蓋（３）の開閉方向と同方向に回転自在な回転握り部（６）を有し、前記回転握り部（６）は、該回転握り部（６）を把持して便座（２）及び又は蓋（３）の開閉を行うことが可能な位置に配置されていることを特徴とする便座の開閉用回転握り式器具。
【請求項２】
前記便座（２）及び又は蓋（３）に取付ネジ（８）又は接着により取付けられる取付具（４）と、固定手段（７）により取付具（４）に固定される中芯軸（５）と、該中芯軸（５）に回転自在に支持される前記回転握り部（６）と、を有することを特徴とする請求項１記載の便座の開閉用回転握り式器具。
【請求項３】
前記回転握り部（６）の表面は、凹凸の無い滑らかな円筒状面であることを特徴とする請求項１又は２記載の便座の開閉用回転握り式器具。
【請求項４】
前記回転握り部（６）の表面は、抗菌処理等が施されていることを特徴とする請求項１〜３のうちいずれか記載の便座の開閉用回転握り式器具。
【請求項５】
前記回転握り部（６）は、前記便座（２）及び又は蓋（３）の側方に突出した位置に配置されていることを特徴とする請求項１〜４のうちいずれか記載の便座の開閉用回転握り式器具。
【発明の詳細な説明】
【０００１】
【発明の属する技術分野】
本発明は、洋式便器の便座及び又は蓋に取付けて用いることによりこれらの開閉を行う便座の開閉用回転握り式器具に関する。
【０００２】
【従来の技術及び発明が解決しようとする課題】
一般的に、洋式便器等の便座及び蓋の開閉は、これらの外周縁部を直接指先にてつまみ、上げ下げすることにより開閉を行うが、この方法では、不衛生であり、不潔感も強い。
【０００３】
この問題を解決するために、特開２０００−３３３８７８公報に示されるものは、洋式便器の便座及び又は蓋の裏面に貼着固定される貼着部と、貼着部に連設され、便座又は蓋の外周縁から外方に突出する平板状の把持部とを備える便器用把手を便座及び又は蓋に取付け、便座及び又は蓋の開閉を把持部を把持して行う。
【０００４】
このように、前記公報に示されるものでは、便座及び蓋を直接持たず、把持部を把持して開閉することができるので、不衛生感や不潔感などは解消する。
【０００５】
しかしながら、便座及び蓋は、これらの一片が便器に揺動可能に支持されており、他の辺を持って支持部を中心に揺動させることにより開閉させる構造であるため、開閉動作中に便座又は蓋の角度が変化していくことに伴い握り基点が移動する。このため、開閉時に、便座又は蓋を持っている手、手首、及び腕などを捻るなど不自然な動作を伴ったり、握り直すなどの動作を必要とする。
【０００６】
前記公報に示されているものも、便座及び蓋を直接持つわけではないが、把持部が便座及び蓋の外周縁から外方に突出する平板状のものであるため、開閉動作中の把持部の角度も便座及び蓋と同様に変化していく。したがって、把持部を持って開閉させる際の動作は、便座及び蓋を直接持って開閉させる際の動作と同じであるため、握り直し等の使い難さがあり、使用感も同様である。このため、特に、高齢者や障害等を有している人などには、使いづらい場合がある。
【０００７】
【課題を解決するための手段】
本発明は、上記のような従来の課題を解決するためのものであり、便座及び蓋の開閉方向と同方向に回転自在な回転握り部を把持して便座及び又は蓋の開閉を行うことにより、手、手首、腕の不自然な動きを解消した便座の開閉用回転握り式器具を提供することを目的とする。
【０００８】
請求項１記載の発明は、洋式便器等の便座（２）及び又は蓋（３）に取付けられ、便座（２）及び蓋（３）の開閉方向と同方向に回転自在な回転握り部（６）を有し、前記回転握り部（６）は、該回転握り部（６）を把持して便座（２）及び又は蓋（３）の開閉を行うことが可能な位置に配置されていることを特徴とするものである。
【０００９】
また、請求項２記載の発明は請求項１記載の発明において、前記便座（２）及び又は蓋（３）に取付ネジ（８）又は接着により取付けられる取付具（４）と、固定手段（７）により取付具（４）に固定される中芯軸（５）と、該中芯軸（５）に回転自在に支持される前記回転握り部（６）と、を有することを特徴とするものである。
【００１０】
また、請求項３記載の発明は請求項１又は２記載の発明において、前記回転握り部（６）の表面は、凹凸の無い滑らかな円筒状面であることを特徴とするものである。
【００１１】
また、請求項４記載の発明は請求項１〜３のうちいずれか記載の発明において、前記回転握り部（６）の表面は、抗菌処理等が施されていることを特徴とするものである。
【００１２】
また、請求項５記載の発明は請求項１〜４のうちいずれか記載の発明において、前記回転握り部（６）は、前記便座（２）及び又は蓋（３）の側方に突出した位置に配置されていることを特徴とするものである。
【００１３】
【発明の実施の形態】
以下、本発明の実施形態について詳細に説明する。
ここで、図１は、本発明の実施形態を示す部分断面図である。
【００１４】
便器本体１と、便器本体１の上部に配置される便座２と、便座２の上部に配置される蓋３とを有し、便座２及び蓋３の一片が便器本体１に揺動可能に支持され、この支持部を中心に揺動させることにより開閉する洋式便器の便座２に便座開閉用回転握り式器具１０が取付けられている。便座開閉用回転握り式器具１０は、回転握り部６、取付ネジ８、取付具４、固定ナット（固定手段）７、中芯軸５により構成されている。
【００１５】
回転握り部６は、中芯軸５に軸方向への移動は拘束されているが回転自在に支持されており、中芯軸５は、断面略「Ｌ」字状の取付具４の一片４ａに固定ナット７により固定されている。回転握り部６は、直径約３０ｍｍ、長さ約４０ｍｍの大きさを有しており、表面は、凹凸の無い滑らかな円筒状面である。また、回転握り部６の表面には、抗菌処理が施されている。
【００１６】
図２（ｄ）にも示されるように、取付具４は、回転握り部６が便座２の側方に突出し、かつ回転方向が便座２の揺動方向（すなわち開閉方向）と同方向になるように配置され、他片４ｂが、便座２の縁部裏面に取付ネジ８によってネジ止めされている。
【００１７】
次に、図２に基づいて便座開閉用回転握り式器具１０の作用について説明する。
【００１８】
図２（ａ）に示されるように、便座２及び蓋３を共に閉じた状態のときは、回転握り部６が便座２の側方から突出した位置に配置された状態となる。
【００１９】
次に、図２（ｂ）に示される便座２及び蓋３が開いた状態にするには、回転握り部６を握って引き上げることにより行うことができる。この引き上げの際、回転握り部６は、便座２及び蓋３の揺動に追従して回転しながら引き上げられるため、握り基点の移動により発生する回転握り部６を握っている手、手首及び腕などの引き上げ途中での捻れなどの不自然な動作を伴うことが無い。これにより、回転握り部６を握っている手は常に自然な状態にあり、違和感を感じることが無いので、便座２及び蓋３を開いている途中で回転握り部６を握り直す必要が無い。
【００２０】
次に、図２（ｃ）に示される便座２のみ閉じた状態にするには、図２（ｂ）の位置にある回転握り部６を握って引き下げることにより行うことができる。この引き下げの際、回転握り部６は、便座２の揺動に追従して回転しながら引き下げられるため、握り基点の移動により発生する回転握り部６を握っている手、手首及び腕などの引き下げ途中での捻れなどの不自然な動作を伴うことが無い。これにより、前記引き上げ時と同様に便座２を閉じている途中で回転握り部６を握り直す必要が無い。
【００２１】
なお、前記実施の形態においては、便座開閉用回転握り式器具１０を便座２にのみ取付けたが、これに限定されず、蓋３にも取付け、蓋３のみを開閉させる際には、蓋３に取付けた便座開閉用回転握り式器具１０を用いて行うこともできる。この場合も、前記便座２に取付けたものと同様の作用効果を有する。
【００２２】
また、前記実施の形態においては、便座開閉用回転握り式器具１０の便座２や蓋３への取付けを取付ネジ８により行ったが、これに限定されず、接着剤や両面テープなどを用いて取付けることも可能である。
【００２３】
また、便座開閉用回転握り式器具１０の便座２や蓋３への取付位置も、前記実施の形態に限定されず、操作しやすく使い易い場所へ取付けてもよい。
【００２４】
【発明の効果】
本発明の請求項１記載の便座の開閉用回転握り式器具は、便座及び蓋の開閉の際、回転握り部が便座及び蓋の揺動に追従して回転しながら引き上げられるため、握り基点の移動により発生する回転握り部を握っている手、手首及び腕などの開閉途中での捻れなどの不自然な動作を伴うことが無い。これにより、回転握り部を握っている手は常に自然な状態にあり、違和感を感じることが無いので、便座及び蓋の開閉途中で回転握り部を握り直す必要が無い。このように、握り直し等の使い難さがないため、健康な人は元より、特に高齢者や、障害を有している人などの介護の福祉用器具などとしても使用し易い。また、便座や蓋を直接触らないので、不衛生感や不潔感なども無い。
【００２５】
また、請求項２記載の発明は、請求項１記載の発明において、便座及び又は蓋に取付ネジ又は接着により取付けられる取付具と、固定手段により取付具に固定される中芯軸と、中芯軸に回転自在に支持される回転握り部と、便座の開閉用回転握り式器具を構成することができる。
【００２６】
また、請求項３記載の発明は、請求項１又は２記載の発明において、回転握り部の表面を凹凸の無い滑らかな円筒状面とすることにより、凹凸の溝などに汚れが侵入することが無いので、汚れの付着を極力防止することができるとともに、付着した汚れを容易に拭取ることが可能となる。
【００２７】
また、請求項４記載の発明は、請求項１〜３のうちいずれか記載の発明において、回転握り部の表面に抗菌処理等を施すことにより、回転握り部に付着した汚れからばい菌が繁殖することを防止することができる。
【００２８】
また、請求項５記載の発明は、請求項１〜４のうちいずれか記載の発明において、回転握り部を便座及び又は蓋の側方に突出した位置に配置することにより、便座及び又は蓋の開閉の際に、回転握り部を握った手の動作が上下動だけになり楽な操作になるとともに、便座に座った際にも邪魔にならない。
【図面の簡単な説明】
【図１】本発明の実施の形態を示す部分断面図である。
【図２】（ａ）は便座及び蓋共に閉じた状態を示す斜視図であり、（ｂ）は便座及び蓋共に開いた状態を示す斜視図であり、（ｃ）は便座のみ閉じた状態を示す斜視図であり（ｄ）は回転握り部の取付状態を示す斜視図である。
【符号の説明】
１　便器本体
２　便座
３　蓋
４　取付具
５　中芯軸
６　回転握り部
７　固定ナット（固定手段）
８　取付ネジ
【図１】
2004033660.tif 000003
【図２】
2004033660.tif 000004
【手続補正書】
【提出日】平成15年10月23日(2003.10.23)
【手続補正１】
【補正対象書類名】明細書
【補正対象項目名】特許請求の範囲
【補正方法】変更
【補正の内容】
【特許請求の範囲】
【請求項１】
洋式便器等の便座（２）及び／又は蓋（３）に取付けられ、便座（２）及び蓋（３）の開閉方向と同方向に回転自在な回転握り部（６）を有し、前記回転握り部（６）は、該回転握り部（６）を把持して便座（２）及び／又は蓋（３）の開閉を行うことが可能な位置に配置されていることを特徴とする便座の開閉用回転握り式器具。
【請求項２】
前記便座（２）及び／又は蓋（３）に取付ネジ（８）又は接着により取付けられる取付具（４）と、固定手段（７）により取付具（４）に固定される中芯軸（５）と、該中芯軸（５）に回転自在に支持される前記回転握り部（６）と、を有することを特徴とする請求項１記載の便座の開閉用回転握り式器具。
【請求項３】
前記取付具（４）の前記便座（２）及び／又は蓋（３）への接着は、両面テープにより行うようにしたことを特徴とする請求項２記載の便座の開閉用回転握り式器具。
【請求項４】
前記回転握り部（６）の表面は、凹凸の無い滑らかな円筒状面であることを特徴とする請求項１〜３のうちいずれか記載の便座の開閉用回転握り式器具。
【請求項５】
前記回転握り部（６）の表面は、抗菌処理等が施されていることを特徴とする請求項１〜４のうちいずれか記載の便座の開閉用回転握り式器具。
【請求項６】
前記回転握り部（６）は、前記便座（２）及び／又は蓋（３）の側方に突出した位置に配置されていることを特徴とする請求項１〜５のうちいずれか記載の便座の開閉用回転握り式器具。
【手続補正２】
【補正対象書類名】明細書
【補正対象項目名】０００８
【補正方法】変更
【補正の内容】
【０００８】
請求項１記載の発明は、洋式便器等の便座（２）及び／又は蓋（３）に取付けられ、便座（２）及び蓋（３）の開閉方向と同方向に回転自在な回転握り部（６）を有し、前記回転握り部（６）は、該回転握り部（６）を把持して便座（２）及び／又は蓋（３）の開閉を行うことが可能な位置に配置されていることを特徴とするものである。


【手続補正３】
【補正対象書類名】明細書
【補正対象項目名】０００９
【補正方法】変更
【補正の内容】
【０００９】
また、請求項２記載の発明は請求項１記載の発明において、前記便座（２）及び／又は蓋（３）に取付ネジ（８）又は接着により取付けられる取付具（４）と、固定手段（７）により取付具（４）に固定される中芯軸（５）と、該中芯軸（５）に回転自在に支持される前記回転握り部（６）と、を有することを特徴とするものである。
また、請求項３記載の発明は請求項２記載の発明において、前記取付具（４）の前記便座（２）及び／又は蓋（３）への接着は、両面テープにより行うようにしたことを特徴とするものである。
【手続補正４】
【補正対象書類名】明細書
【補正対象項目名】００１０
【補正方法】変更
【補正の内容】
【００１０】
また、請求項４記載の発明は請求項１〜３のうちいずれか記載の発明において、前記回転握り部（６）の表面は、凹凸の無い滑らかな円筒状面であることを特徴とするものである。


【手続補正５】
【補正対象書類名】明細書
【補正対象項目名】００１１
【補正方法】変更
【補正の内容】
【００１１】
また、請求項５記載の発明は請求項１〜４のうちいずれか記載の発明において、前記回転握り部（６）の表面は、抗菌処理等が施されていることを特徴とするものである。


【手続補正６】
【補正対象書類名】明細書
【補正対象項目名】００１２
【補正方法】変更
【補正の内容】
【００１２】
また、請求項６記載の発明は請求項１〜５のうちいずれか記載の発明において、前記回転握り部（６）は、前記便座（２）及び／又は蓋（３）の側方に突出した位置に配置されていることを特徴とするものである。


【手続補正７】
【補正対象書類名】明細書
【補正対象項目名】００２４
【補正方法】変更
【補正の内容】
【００２４】
【発明の効果】
本発明の請求項１記載の便座の開閉用回転握り式器具は、洋式便器等の便座及び／又は蓋に取付けられ、便座及び蓋の開閉方向と同方向に回転自在な回転握り部を有し、前記回転握り部は、該回転握り部を把持して便座及び／又は蓋の開閉を行うことが可能な位置に配置されていることにより、便座及び蓋の開閉の際、回転握り部が便座及び蓋の揺動に追従して回転しながら引き上げられるため、握り基点の移動により発生する回転握り部を握っている手、手首及び腕などの開閉途中での捻れなどの不自然な動作を伴うことが無い。これにより、回転握り部を握っている手は常に自然な状態にあり、違和感を感じることが無いので、便座及び蓋の開閉途中で回転握り部を握り直す必要が無い。このように、握り直し等の使い難さがないため、健康な人は元より、特に高齢者や、障害を有している人などの介護の福祉用器具などとしても使用し易い。また、便座や蓋を直接触らないので、不衛生感や不潔感なども無い。


【手続補正８】
【補正対象書類名】明細書
【補正対象項目名】００２５
【補正方法】変更
【補正の内容】
【００２５】
また、請求項２記載の発明は、請求項１記載の発明において、便座及び／又は蓋に取付ネジ又は接着により取付けられる取付具と、固定手段により取付具に固定される中芯軸と、中芯軸に回転自在に支持される回転握り部と、により、不自然な動作で握り直す必要の無い便座の開閉用回転握り式器具を構成することができる。
さらに、請求項３記載の発明では、請求項２記載の発明において、便座及び／又は蓋への取付具の接着を両面テープにより行うようにしたので、簡易に取り付けることができる。
【手続補正９】
【補正対象書類名】明細書
【補正対象項目名】００２６
【補正方法】変更
【補正の内容】
【００２６】
また、請求項４記載の発明は、請求項１〜３のうちいずれか記載の発明において、回転握り部の表面を凹凸の無い滑らかな円筒状面とすることにより、凹凸の溝などに汚れが侵入することが無いので、汚れの付着を極力防止することができるとともに、付着した汚れを容易に拭取ることが可能となる。


【手続補正１０】
【補正対象書類名】明細書
【補正対象項目名】００２７
【補正方法】変更
【補正の内容】
【００２７】
また、請求項５記載の発明は、請求項１〜４のうちいずれか記載の発明において、回転握り部の表面に抗菌処理等を施すことにより、回転握り部に付着した汚れからばい菌が繁殖することを防止することができる。


【手続補正１１】
【補正対象書類名】明細書
【補正対象項目名】００２８
【補正方法】変更
【補正の内容】
【００２８】
また、請求項６記載の発明は、請求項１〜５のうちいずれか記載の発明において、回転握り部を便座及び又は蓋の側方に突出した位置に配置することにより、便座及び／又は蓋の開閉の際に、回転握り部を握った手の動作が上下動だけになり楽な操作になるとともに、便座に座った際にも邪魔にならない。